(57)【要約】【課題】組立が容易であるとともに意図しない解体を抑制することができるようにした花卉用包装箱を提供する。【解決手段】花卉用包装箱１０は、一枚のシート材が折り曲げられてなるものであって、長方形の底板１と、底板１の各長辺に折線を介して連設された一対の長方形の長側板２と、底板１の各短辺に折線を介して連設された一対の長方形の短側板３と、一方の長側板２において底板１と連なる長辺と逆側の長辺に折線を介して連設された天板４と、長側板２の各短辺に折線を介して連設された折込片７と、短側板３において底板１と連なる端辺と逆側の端辺に折線を介して連設された縁片８と、縁片８に形成されたフラップ状の舌部１２と、各折込片７から突設され、舌部１２が挿入される穴部１６を有し、穴部１６に挿入された舌部１２を係止する係止片９とを備えている。【選択図】図６
2019099217.tif 000002
【特許請求の範囲】
【請求項１】
一枚のシート材が折り曲げられてなる花卉用包装箱であって、
長方形の底板と、
前記底板の各長辺に折線を介して連設された一対の長方形の長側板と、
前記底板の各短辺に折線を介して連設された一対の長方形の短側板と、
一方の前記長側板において前記底板と連なる長辺と逆側の長辺に折線を介して連設された天板と、
各々の前記長側板の各短辺に折線を介して連設された折込片と、
各々の前記短側板において前記底板と連なる端辺と逆側の端辺に折線を介して連設された縁片と、
各々の前記縁片に形成されたフラップ状の舌部と、
各々の前記折込片から突設され、前記舌部が挿入される穴部を有し、前記穴部に挿入された前記舌部を係止する係止片と、を備えた
ことを特徴とする花卉用包装箱。
【請求項２】
前記係止片は、前記穴部の周縁が一部を除いて切断されてなるフラップ部を有する
ことを特徴とする、請求項１に記載の花卉用包装箱。
【請求項３】
前記舌部は、前記縁片が前記係止片に重ねられた状態で、前記穴部よりも所定方向に突出する形状である
ことを特徴とする、請求項１又は２に記載の花卉用包装箱。
【請求項４】
前記舌部は、前記所定方向と交差する方向に延設された罫線を有する
ことを特徴とする、請求項３に記載の花卉用包装箱。
【請求項５】
前記シート材が段ボールシートであって、
前記舌部における流れ方向が、前記所定方向と交差する方向である
ことを特徴とする、請求項３又は４に記載の花卉用包装箱。
【請求項６】
各々の前記折込片が、前記短側板の内側で互いに係合する仮組部を有する
ことを特徴とする、請求項１〜５の何れか１項に記載の花卉用包装箱。
【発明の詳細な説明】
【技術分野】
【０００１】
本発明は、切花の輸送に用いられる花卉用包装箱に関する。
【背景技術】
【０００２】
従来、切花を収容する包装箱として、いわゆる二面継ぎ箱が普及している。二面継ぎ箱は、二つのシート材が組み合わされて構成されるため、長大な箱形状に対応しやすく、設備コストを抑えられる反面、組立時に接着剤や止め具等でシート材同士を接合する作業が必要であるため、組立作業が複雑になるという課題がある。
【０００３】
この課題に対し、組立に接着剤や止め具等の副資材を必要としない種々の花卉用包装箱が開発されている。例えば特許文献１には、一枚のシート材を折り曲げて構成される花卉用包装箱において、短側板に形成した係合突片を、長側板に連設した折込片の係合凹部に嵌め込むことで、箱の側面を固定するようにした技術が記載されている。特許文献１の技術によれば、テープ等の副資材を用いることなく、花卉用包装箱の組立を簡単に行えるとされている。
【先行技術文献】
【特許文献】
【０００４】
【特許文献１】特開２００５−１１９６７１号公報
【発明の概要】
【発明が解決しようとする課題】
【０００５】
ところで、例えば市場では、収容された切花が見えるように蓋（天板）が開けられた包装箱を移動させる場合に、その短側板を引っ張ることがある。仮に、特許文献１に記載されている包装箱の短側板を引っ張った場合、係合突片が係合凹部から外れて包装箱が解体してしまう虞がある。このため、花卉用包装箱では、組立容易性を確保しつつ、意図しない解体を抑制することが課題とされている。
【０００６】
本件は、前述したような課題に鑑みて創案されたものであり、組立が容易であるとともに意図しない解体を抑制することができるようにした花卉用包装箱を提供することを目的の一つとする。なお、この目的に限らず、後述する「発明を実施するための形態」に示す各構成から導き出される作用及び効果であって、従来の技術では得られない作用及び効果を奏することも、本件の他の目的として位置付けることができる。
【課題を解決するための手段】
【０００７】
（１）ここで開示する花卉用包装箱は、一枚のシート材が折り曲げられてなる花卉用包装箱であって、長方形の底板と、前記底板の各長辺に折線を介して連設された一対の長方形の長側板と、前記底板の各短辺に折線を介して連設された一対の長方形の短側板と、一方の前記長側板において前記底板と連なる長辺と逆側の長辺に折線を介して連設された天板と、各々の前記長側板の各短辺に折線を介して連設された折込片と、各々の前記短側板において前記底板と連なる端辺と逆側の端辺に折線を介して連設された縁片と、各々の前記縁片に形成されたフラップ状の舌部と、各々の前記折込片から突設され、前記舌部が挿入される穴部を有し、前記穴部に挿入された前記舌部を係止する係止片と、を備えている。
【０００８】
（２）前記係止片は、前記穴部の周縁が一部を除いて切断されてなるフラップ部を有することが好ましい。
（３）前記舌部は、前記縁片が前記係止片に重ねられた状態で、前記穴部よりも所定方向に突出する形状であることが好ましい。
（４）前記舌部は、前記所定方向と交差する方向に延設された罫線を有することが好ましい。
【０００９】
（５）前記シート材が段ボールシートであって、前記舌部における流れ方向が、前記所定方向と交差する方向であることが好ましい。
（６）各々の前記折込片が、前記短側板の内側で互いに係合する仮組部を有することが好ましい。
【発明の効果】
【００１０】
短側板に連設された縁片の舌部が、折込片から突設された係止片の穴部に挿入された状態で係止されるため、接着剤や止め具等の副資材を用いることなく、包装箱を箱形に保持することができるとともに、短側板が引っ張られた場合に舌部の外れを抑制することができる。したがって、開示の花卉用包装箱によれば、組立を容易にすることができるとともに、意図しない解体を抑制することができる。
【図面の簡単な説明】
【００１１】
【図１】一実施形態に係る花卉用包装箱に組み立てられるシート材の平面図（花卉用包装箱の展開図）である。
【図２】図１の花卉用包装箱の斜視図であり、天板が開いた状態を示している。
【図３】図１の花卉用包装箱の短側板及び縁片の正面図であり、短側板及び縁片が上下方向に起立した状態を示している。
【図４】図１の花卉用包装箱の折込片及び係止片の正面図であり、折込片及び係止片が上下方向に起立した状態を示している。
【図５】図１の花卉用包装箱の組立手順を説明するための図であり、短側板が折込片に重ねられる前の状態を示している。
【図６】図１の花卉用包装箱の組立手順を説明するための図であり、舌部が穴部に挿入された状態を示している。
【発明を実施するための形態】
【００１２】
以下、図面を参照して、実施形態としての花卉用包装箱について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
［１．構成］
［１−１．基本構成］
本花卉用包装箱は、切花のような細長い物品を収容するための箱である。以下、花卉用包装箱を単に包装箱という。なお、本包装箱に収容される物品は、切花に限られず、例えば、ねぎ，レンコン，ごぼう等であってもよい。
【００１４】
本実施形態に係る包装箱１０は、図１に示すシート材１０Ａが折り曲げられることで形成される。シート材１０Ａには、底板１，一対の長側板２，一対の短側板３，天板４，長縁片５，差込片６，四つの折込片７，二つの短縁片（縁片）８，四つの係止片９が設けられる。
【００１５】
底板１は、包装箱１０に収容される物品の形状に対応した長方形に形成される。以下、シート材１０Ａにおいて、底板１の長辺が延在する方向を第一方向Ｄ１といい、底板１の短辺が延在する方向を第二方向Ｄ２という。第一方向Ｄ１と第二方向Ｄ２とは、何れもシート材１０Ａの延在面に沿う方向であって、互いに直交する。
【００１６】
長側板２は、底板１の各長辺に折線を介して連設される。長側板２は、底板１の長辺と同一方向及び同一長さの長辺と、第二方向Ｄ２に延在する短辺とを有する長方形に形成される。
短側板３は、底板１の各短辺に折線を介して連設される。本実施形態の短側板３は、底板１の短辺と同一方向及び同一長さの長辺と、第一方向Ｄ１に延在する短辺とを有する長方形に形成されている。
【００１７】
このようにシート材１０Ａでは、底板１に対し、長側板２が第二方向Ｄ２の両側に連設され、短側板３が第一方向Ｄ１の両側に連設されている。以下、シート材１０Ａでは、底板１が中央に位置するものとし、底板１に向かう側を内側といい、底板１から離隔する側を外側という。
【００１８】
天板４は、一対の長側板２のうちの一方（図１では左方）の外側（図１では左側）の長辺に折線を介して連設される。言い換えると、天板４は、一方の長側板２において底板１と連なる長辺と逆側の長辺に連設される。天板４は、底板１と同一の長方形に形成される。
【００１９】
長縁片５は、一対の長側板２のうちの他方（図１では右方）の外側（図１では右側）の長辺に折線を介して連設される。長縁片５は、包装箱１０において天板４の落ち込みを防止する機能を持つ。長辺片５とこれに連続する長側板２との間の折線上には、スリット状の差込穴１１が形成される。
差込片６は、包装箱１０を封緘するときに差込穴１１に差し込まれる部位であって、天板４から第二方向Ｄ２の外側に向かって突設される。
【００２０】
折込片７は、各々の長側板２の各短辺に折線を介して連設される。すなわち、折込片７は、各長側板２の第二方向Ｄ２の両側に連設され、各短側板３の第一方向Ｄ１の両側に位置する。折込片７は、シート材１０Ａが包装箱１０に組み立てられた状態で、短側板３の内側に配置される。本実施形態の折込片７は、このように短側板３の内側に配置された状態で互いに係合する仮組部７ａを有する。仮組部７ａは、シート材１０Ａが包装箱１０に組み立てられる過程で互いに打ち違えに組まれることにより、折込片７及び長側板２を起立した姿勢に保持する機能を持つ。
【００２１】
短縁片８は、各短側板３の第一方向Ｄ１の外側に連設される。言い換えると、短縁片８は、各短側板３において底板１と連なる長辺（端辺）と逆側の長辺（端辺）に折線を介して連設される。短縁片８は、長縁片５と同様に、包装箱１０において天板４の落ち込みを防止する機能を持つ。
【００２２】
係止片９は、各折込片７から第一方向Ｄ１の外側に向かって突設される。係止片９は、包装箱１０では短縁片８の内側に重なって配置される。短縁片８と係止片９とは、包装箱１０の形状を保持する機能を持つ。言い換えると、包装箱１０は、短縁片８と係止片９とにより、接着剤や止め具等の副資材を用いなくても箱形に保持されるようになっている。短縁片８と係止片９との詳細な構成については後述する。
【００２３】
本実施形態のシート材１０Ａは、表ライナと裏ライナとの間に波形の中芯が挟まれた段ボールシートである。シート材１０Ａは、その流れ方向が第一方向Ｄ１とされ、その幅方向が第二方向Ｄ２とされて使用される。段ボールシートの曲げ剛性は、流れ方向よりも幅方向の方が高いことから、シート材１０Ａは、第一方向Ｄ１よりも第二方向Ｄ２に折れ曲がりにくい性質を持つ。
【００２４】
なお、シート材１０Ａの各部位１〜９の境界線上に設けられる折線とは、シート材１０Ａが包装箱１０に組み立てられるときに折り曲げられる線である。これらの折線には、罫線（溝）が加工される。
【００２５】
図２に示すように、包装箱１０は、底板１が天板４よりも下方に位置する姿勢で使用される。包装箱１０では、一対の長側板２と一対の短側板３とが、底板１と垂直に立設され、物品が収容される空間の周囲を囲む側壁として機能し、天板４がこの空間を封鎖する蓋として機能する。包装箱１０は、天板４が底板１の上方に対向配置され、差込片６が差込穴１１に挿入されることで封緘される。包装箱１０が封緘された状態では、長縁片５により天板４と長側板２との間の隙間が封鎖され、短縁片８により天板４と短壁板３との間の隙間が封鎖される。
【００２６】
［１−２．要部構成］
図３及び図４を参照して、包装箱１０における短縁片８及び係止片９の各構成について詳述する。以下の説明では、包装箱１０が水平な面に載置された状態であるものとして上下方向を定める。図３は、短側板３及びこれに連設された短縁片８が何れも上下方向に起立した姿勢である状態を示している。また、図４は、折込片７及びこれに連設された係止片９が何れも上下方向に起立した姿勢である状態を示している。以下、短縁片８及び係止片９の延在面において上下方向に直交する方向を左右方向ともいう。
【００２７】
図３に示すように、短縁片８には、一対のフラップ状の舌部１２が形成される。一対の舌部１２は、互いに左右方向に離隔して配置される。本実施形態の舌部１２は、左右方向（短側板３の長辺方向）に長い略長方形である。すなわち、舌部１２は、大掴みにいえば、左右方向に延びる上下一対の長辺と、上下方向に延びる左右一対の端辺とで囲まれた形状である。舌部１２は、これらの長辺及び短辺のうち、下側の長辺の中央部１２ａ以外が切断されることでフラップ状に形成されている。
【００２８】
以下、舌部１２の下側の長辺の中央部１２ａを舌連設部１２ａという。舌連設部１２ａは、舌部１２が短縁片８の他の部位に対して折れ曲がるときの基部となる部位である。舌連設部１２ａには、舌部１２を包装箱１０の内側に向かって折れ曲がりやすくするための罫線１７が加工される。
【００２９】
舌部１２では、包装箱１０を形成する段ボールシートの流れ方向が上下方向となっている。すなわち、舌部１２は、上下方向よりも左右方向に折れ曲がりにくい性質を持つ。本実施形態の舌部１２は、左右方向と交差する方向に延設された罫線１３を有する。ここでは、各舌部１２に対し、一対の罫線１３が左右方向に互いに離隔して設けられる場合を例示する。一対の罫線１３は、舌連設部１２ａの左右両端部から上方にいくほど互いに接近する直線状に形成されている。
【００３０】
図４に示すように、各係止片９は、舌部１２と同様のフラップ状に形成されたフラップ部１４と、フラップ部１４の周囲に設けられた枠部１５と、フラップ部１４が枠部１５に対して押し込まれることで形成される穴部１６とを有する。穴部１６は、短側板３及び短縁片８が折込片７及び係止片９にそれぞれ重なって配置された状態で、舌部１２と重なる位置に形成される。包装箱１０が組み立てられる過程で、穴部１６には舌部１２が挿入される。
【００３１】
係止片９は、穴部１６に挿入された舌部１２を枠部１５で係止する。すなわち、枠部１５は、穴部１６に挿入された舌部１２が穴部１６から抜け出ることを防止する機能を持つ。また、フラップ部１４は、穴部１６に挿入された舌部１２を枠部１５との間に挟持し、舌部１２を固定する機能を持つ。
【００３２】
フラップ部１４は、穴部１６の周縁が一部を除いて切断されてなる。本実施形態のフラップ部１４は、略正方形状の主部１４ａと、主部１４ａの上辺に連結された半円形状の補助部１４ｂとで構成され、その輪郭線のうち、主部１４ａの下側の一辺に対応する部分１４ｃ以外が切断されることで、フラップ状に形成されている。
【００３３】
以下、主部１４ａの下側の一辺に対応する部分１４ｃをフラップ連設部１４ｃという。フラップ連設部１４ｃは、フラップ部１４が枠部１５に対して折れ曲がるときの基部となる部位である。フラップ連設部１４ｃには、フラップ部１４を包装箱１０の内側へ向かって折れ曲がりやすくするための罫線１８が加工される。
【００３４】
図３に示すように、舌部１２の左右方向の寸法Ｗ１は、穴部１６の左右方向の寸法（最大寸法）Ｗ２よりも大きくされる。すなわち、図４中に二点鎖線で示すように、舌部１２は、短側板３及び短縁片８が折込片７及び係止片９にそれぞれ重なって配置された状態で、穴部１６よりも左右方向（所定方向）に突出する形状である。したがって、枠部１５は、舌部１２が穴部１６に挿入された状態では、舌部１２の左右両端部に当接する。
【００３５】
包装箱１０では、舌連設部１２ａの罫線１７がフラップ連設部１４ｃの罫線１８よりも上方に設けられる。同様に、包装箱１０では、短縁片８と短側板３との間の罫線が、係止片９と折込片７との間の罫線よりも上方に設けられる。舌部１２は、包装箱１０が組み立てられる過程で、フラップ連設部１４ｃの罫線１８で折り曲げられたフラップ部１４の上方に重なるように、舌連設部１２ａの罫線１７で折り曲げられ、穴部１６に挿入される。また、端縁片８は、天板４が閉められる場合に、係止片９の上方に重なるように短側板３から折り曲げられて、短側板３及び折込片７よりも包装箱１０の内側に配置される。
【００３６】
［１−３．組立手順］
図５及び図６を参照して、包装箱１０の組立手順について説明する。図５に示すように、まず各長側板２を底板１に対して垂直に起立させる。次に、各折込片７を長側板２に対して直角に折り曲げ、仮組部７ａ同士を係合させる。これにより、長側板２が起立した姿勢に保たれるとともに、各折込片７が底板１及び長側板２の双方に対して垂直な姿勢に保たれる。
【００３７】
続いて、図６に示すように、各短側板３を底板１に対して垂直に起立させる。言い換えると、各短側板３を折込片７に対して外側から重ねて配置する。そして、舌部１２及びフラップ部１４を包装箱１０の内側かつ下方へ押し込む。このとき、フラップ部１４が枠部１５に対して移動することにより、穴部１６が形成される。また、舌部１２が罫線１３で折れ曲がることでその左右方向の寸法Ｗ１が縮小され、舌部１２が穴部１６を通過可能になる。そして、フラップ部１４の移動に伴って形成された穴部１６に対し、舌部１２が挿入される。
【００３８】
このように舌部１２が穴部１６に挿入されて枠部１５よりも包装箱１０の内側に配置された状態では、舌部１２が係止片９により係止される。すなわち、舌部１２は、その左右両端部が係止片９の枠部１５に当たることにより、穴部１６から抜け出ることが防止され、穴部１６に挿入された状態に保持される。これにより、短側板３は、折込片７の外側に重なった状態で、底板１及び各長側板２に対して垂直な姿勢に保たれる。したがって、包装箱１０は、底板１と一対の長側板２と一対の短側板３とで容器状をなす箱形に保持される。
【００３９】
なお、包装箱１０を封緘する場合は、長縁片５及び各短縁片８を包装箱１０の内側へ折り曲げる。そして、これらの長縁片５及び短縁片８の上方から天板４を被せるように配置し、差込片６を差込穴１１に挿入する。これにより、天板４が底板１の上方に対向配置された状態に保持され、包装箱１０が封緘される。
【００４０】
［２．作用，効果］
包装箱１０によれば、以下のような作用，効果を得ることができる。
（１）短縁片８に形成された舌部１２が、折込片７から突設された係止片９の穴部１６に挿入された状態で係止されるため、接着剤や止め具等の副資材を用いることなく、包装箱１０を箱形に保持することができる。したがって、一枚のシート材１０Ａから包装箱１０を容易に組み立てることができる。
【００４１】
また、係止片９により舌部１２が係止されているため、天板４が開いた状態で短縁片８又は端側板３が包装箱１０の外側へ引っ張られたとしても、舌部１２を穴部１６から抜けにくくすることができる。したがって、短縁片８又は端側板３を引っ張ることで包装箱１０を移動させる場合に、包装箱１０が意図に反して解体してしまうことを抑制できる。
【００４２】
（２）係止片９がフラップ部１４を有するため、包装箱１０の組立時にフラップ部１４を押し込むことで穴部１６を形成することができるとともに、シート材１０Ａの製造時に穴部１６に対応した打抜き屑の発生を防止することができる。よって、シート材１０Ａの製造において打抜き屑を除去する作業及び装置を省略することができ、製造コストの削減に寄与することができる。
【００４３】
また、包装箱１０では、フラップ部１４が枠部１５との間に舌部１２を挟持することで、舌部１２を固定することができる。これにより、舌部１２が穴部１６から更に抜けにくくなるため、意図しない包装箱１０の解体を更に抑制することができる。
【００４４】
（３）図４に示すように、短縁片８が係止片９に重ねられた状態で、舌部１２が穴部１６よりも左右方向に突出する形状であるため、穴部１６に挿入された舌部１２を、穴部１６の周囲の枠部１５に引っ掛からせることができる。これにより、舌部１２が穴部１６に挿入された状態に保持されやすくなるため、意図しない包装箱１０の解体をより抑制することができる。
【００４５】
（４）図３に示すように、舌部１２が左右方向と交差する方向に延設された罫線１３を有するため、舌部１２を罫線１３で折れ曲がりやすくすることができる。よって、穴部１６よりも左右方向に突出する形状の舌部１２であっても、罫線１３で折り曲げることにより穴部１６に挿入しやすくすることができる。また、穴部１６への挿入時に、舌部１２に不要な折線を生じにくくすることができる。このため、穴部１６に挿入された後の舌部１２の剛性低下を抑えることができ、舌部１２を穴部１６に挿入された状態に保持しやすくすることができる。よって、意図しない包装箱１０の解体を更に抑制することができる。
【００４６】
（５）シート材１０Ａが段ボールシートであって、包装箱１０では舌部１２における流れ方向が上下方向（左右方向と交差する方向）であるため、舌部１２における流れ方向が左右方向である場合よりも、舌部１２を左右方向に折れ曲がりにくくすることができる。よって、穴部１６よりも左右方向に突出する形状の舌部１２を穴部１６からより抜けにくくすることができる。すなわち、舌部１２が左右方向に折れ曲がるとその左右方向の寸法Ｗ１が縮小されて穴部１６から抜けやすくなることから、舌部１２における流れ方向を調整して舌部１２を左右方向に折れ曲がりにくくすることで、舌部１２の穴部１６からの抜けをより抑えることができる。
【００４７】
（６）各折込片７が短側板３の内側で互いに係合する仮組部７ａを有するため、シート材１０Ａを包装箱１０に組み立てるときに仮組部７ａ同士を係合させることで、折込片７及び一対の長側板２を何れも起立した姿勢に保持することができる。また、これにより係止片９の位置を安定化することができるため、包装箱１０をより組み立てやすくすることができる。さらに、包装箱１０がより解体しにくくなるため、例えば短縁片８や端側板３を引っ張ることで包装箱１０を移動させる場合に、意図しない包装箱１０の解体をより抑制することができる。
【００４８】
（７）フラップ部１４が主部１４ａに対してフラップ連設部１４ｃと逆側に配置された補助部１４ｂを有するため、補助部１４ｂを押し込むことで、フラップ部１４を枠部１５に対して容易に動かすことができ、穴部１６を容易に形成することができる。
【００４９】
（８）包装箱１０では、舌連設部１２ａの罫線１７がフラップ連設部１４ｃの罫線１８よりも上方に設けられるため、これらの罫線１７，１８で舌部１２及びフラップ部１４をそれぞれ包装箱１０の内側へ折り曲げた場合に、舌部１２をフラップ部１４の上方に適切に重ねることができる。これにより、舌部１２の位置を適正化することができ、舌部１２をより適切に係止片９に係止させることができる。
【００５０】
また、包装箱１０では、短縁片８と短側板３との間の罫線が、係止片９と折込片７との間の罫線よりも上方に設けられるため、これらの罫線で短縁片８及び折込片７をそれぞれ包装箱１０の内側へ折り曲げた場合に、短縁片８を折込片７の上方に適切に重ねることができる。これにより、短縁片８の位置を適正化することができ、天板４を閉じた場合に、天板４の落ち込みを防止しながら、天板４と短縁片８との間に隙間が生じることを抑制できる。
【００５１】
［３．変形例］
以下、本実施形態の変形例について述べる。
舌部，フラップ部及び穴部の形状は特に限定されない。例えば、舌部は、短縁片が係止片に重ねられた状態で、穴部よりも上下方向に突出する形状であってもよい。また、フラップ部は、例えば前述した主部１４ａのみから構成されてもよい。
【００５２】
係止片は、フラップ部に対応する部分が打ち抜かれていてもよい。言い換えると、フラップ部は係止片から省略されてもよい。この場合も、穴部に挿入された舌部が係止片により係止されることで、包装箱を箱形に保持することができる。よって、副資材を用いることなく包装箱を容易に組み立てることができるとともに、意図しない包装箱の解体を抑制することができる。
【００５３】
折込片は、前述した仮組部７ａが省略された構成であってもよい。また、舌部に設けられる罫線の形状，本数は特に限定されない。例えば、上下方向に沿って延びる一本又は二本の直線状の罫線を舌部に設けてもよいし、舌部から罫線を省略してもよい。また、短側板は、正方形であってもよい。なお、シート材１０Ａに設けられる様々な罫線上には、これらの罫線に沿ってシート材１０Ａをより折れ曲がりやすくするために、破線状の切れ込みが形成されてもよい。また、シート材１０Ａは、段ボールシートに限らず、例えば厚紙であってもよい。
【符号の説明】
【００５４】
１    底板
２    長側板
３    短側板
４    天板
７    折込片
７ａ  仮組部
８    短縁片（縁片）
９    係止片
１０    花卉用包装箱
１０Ａ  シート材
１２    舌部
１３    罫線
１４    フラップ部
１６    穴部
【図１】
2019099217.tif 000003
【図２】
2019099217.tif 000004
【図３】
2019099217.tif 000005
【図４】
2019099217.tif 000006
【図５】
2019099217.tif 000007
【図６】
2019099217.tif 000008